(57)【特許請求の範囲】
【請求項１】
乗物内の壁面に取り付けられる片持ちタイプの座席であって、
座当て、背当て、並びにそれら座当ておよび背当てを支える本体フレームを有する座席本体と、
前記乗物の前記壁面に取り付けられて、前記座席本体が載るようにしてその座席本体を支持する支持体とからなり、
前記座席本体を前記支持体に着脱可能に固定する固定手段を備え、
前記支持体は、前記壁面に取り付けられる被取付板を有し、
前記被取付板には、前記壁面に設けられて前後に延びるガイドレールに挿通された仮止めボルトに嵌められる、前記支持体を前記壁面に仮止めするための仮止め孔が形成されるとともに、その仮止め孔とは別に、前記壁面にねじ込まれる取付ボルトが挿入される、前記支持体を前記壁面に本止めするための取付孔が形成されることを特徴とする乗物用座席。
【請求項２】
前記被取付板には、前記壁面と反対側に凸状に折れ曲って前後に延びる被ガイド部が形成され、
前記仮止め孔は、前記被取付板の前記被ガイド部に形成されることを特徴とする請求項１に記載の乗物用座席。
【請求項３】
前記固定手段は、前記支持体に設けられた第１のネジ部材と、その第１のネジ部材に前記本体フレームの上側からねじ込まれて前記本体フレームを締付固定する第２のネジ部材とからなることを特徴とする請求項１または２に記載の乗物用座席。
【請求項４】
前記座当ては、前記本体フレームに着脱可能に取り付けられて、
前記第２のネジ部材は、その第２のネジ部材をねじ込む作業をする側である、上面側が前記座当てによって覆われることを特徴とする請求項３に記載の乗物用座席。
【請求項５】
請求項１ないし４のいずれか１項に記載の乗物用座席の取付方法であって、
前記仮止め孔を前記仮止めボルトに嵌め、その仮止めボルトに仮止めナットをねじ込んで、前記支持体を、前記乗物の前記壁面に仮止めするとともに、前記支持体の前後の位置を調整し、そして、前記被取付板の前記取付孔に、前記取付ボルトを挿入し、その取付ボルトを前記壁面にねじ込んで、前記支持体を前記壁面に本止めすることにより、前記支持体を、前記壁面に取り付け、
その後、前記座席本体を前記支持体に載せ、
次いで、前記座席本体を前記支持体に固定することを特徴とする、乗物用座席の取付方法。
【発明の詳細な説明】
【０００１】
【発明の属する技術分野】
この発明は、取付作業を容易に行うことができる乗物用座席および、乗物用座席の取付方法に関するものである。
【０００２】
【従来の技術および発明が解決しようとする課題】
従来、乗物内の壁面に沿って配備される座席として、例えば、図９に示される、片持ちタイプの座席２１があった。かかる座席２１は、座席本体２２が、座当て２２ａおよび背当て２２ｂと、それら座当て２２ａおよび背当て２２ｂを支えるフレーム２２ｃとから構成されていた。そして、フレーム２２ｃには、そのフレーム２２ｃを支持するとともに乗物内の壁面２３に取り付けられる支持部材２４が、溶接等により固定されていた。
【０００３】
従って、座席２１が乗物の壁面２３側、特に壁面２３に取り付けられる前記従来の座席２１にあっては、その取り付けの際には、支持部材２４を含む座席２１全体を持ち上げて所定の位置に保持しながら、その支持部材２４をナット２５やボルト２６により壁面２３に取り付けなければならなかった。このように、座席２１の取付作業にあたって、ナット２５やボルト２６をねじ込む間、座席２１全体を持ち上げて所定の位置に保持しなければならず、その取付作業は、困難であった。
【０００４】
この発明は、上記した従来の欠点を解決するためになされたものであり、その目的とするところは、取付作業を容易に行うことができる乗物用座席および、乗物用座席の取付方法を提供することにある。
【０００５】
【課題を解決するための手段】
この発明に係る乗物用座席および、乗物用座席の取付方法は、前記目的を達成するために、次の構成からなる。すなわち、
請求項１に記載の発明に係る乗物用座席は、乗物内の壁面に取り付けられる片持ちタイプの座席であって、座当て、背当て、並びにそれら座当ておよび背当てを支える本体フレームを有する座席本体と、前記乗物の前記壁面に取り付けられて、前記座席本体が載るようにしてその座席本体を支持する支持体とからなり、前記座席本体を前記支持体に着脱可能に固定する固定手段を備える。そして、前記支持体は、前記壁面に取り付けられる被取付板を有し、その被取付板には、前記壁面に設けられて前後に延びるガイドレールに挿通された仮止めボルトに嵌められる、前記支持体を前記壁面に仮止めするための仮止め孔が形成されるとともに、その仮止め孔とは別に、前記壁面にねじ込まれる取付ボルトが挿入される、前記支持体を前記壁面に本止めするための取付孔が形成されている。
【０００６】
こうして、乗物用座席は、座席本体とその座席本体を支持する支持体とが、固定手段により着脱可能となっている。従って、この乗物用座席を、乗物内の壁面に取り付けるには、初めに、乗物用座席の内の座席本体を除く支持体のみを、乗物の壁面に取り付ける。この支持体の取り付けにあたっては、前記被取付板に形成された仮止め孔を、乗物の壁面に設けられたガイドレールに挿通された仮止めボルトに嵌めて仮止めし、さらに、前記被取付板に形成された取付孔に取付ボルトを挿入し、その取付ボルトを前記壁面にねじ込むことで本止めする。その後、座席本体を支持体に載せることで、座席本体は支持される。そして、固定手段により、座席本体は、支持体に固定される。また、固定手段は、座席本体を支持体に着脱可能に固定するものであり、乗物の壁面に取り付けられた支持体から座席本体を取り外すこともできる。
また、請求項２に記載の乗物用座席のように、前記取付板には、前記壁面と反対側に凸状に折れ曲って前後に延びる被ガイド部が形成され、前記仮止め孔は、前記被取付板の前記被ガイド部に形成されてもよい。
【０００７】
また、請求項３に記載の発明に係る乗物用座席のように、前記固定手段は、前記支持体に設けられた第１のネジ部材と、その第１のネジ部材に前記本体フレームの上側からねじ込まれて前記本体フレームを締付固定する第２のネジ部材とからなってもよい。こうして、本体フレームの上側から、第２のネジ部材を第１のネジ部材にねじ込むことで、本体フレームが、第２のネジ部材に締め付けられて、本体フレームを含む座席本体は、支持体に固定される。また、第２のネジ部材を第１のネジ部材から緩めて、または緩めて外せば、支持体から座席本体を取り外すことができる。
【０００８】
また、請求項４に記載の発明に係る乗物用座席のように、前記座当ては、前記本体フレームに着脱可能に取り付けられて、前記第２のネジ部材は、その第２のネジ部材をねじ込む作業をする側である、上面側が前記座当てによって覆われてもよい。こうして、第２のネジ部材は、上面側が座当てによって覆われるので、座席本体を支持体に固定する際には、初めに、座当てを、本体フレームから取り外し、その後に、本体フレームの上側から、第２のネジ部材を第１のネジ部材にねじ込む。そして、再び座当てを、本体フレームに取り付ける。
【０００９】
【００１０】
また、請求項５に記載の発明に係る乗物用座席の取付方法は、請求項１ないし４のいずれか１項に記載の乗物用座席の取付方法であって、次の手順により取り付けられる。
【００１１】
１）前記仮止め孔を、前記仮止めボルトに嵌め、その仮止めボルトに仮止めナットをねじ込んで、前記支持体を、前記乗物の前記壁面に仮止めするとともに、前記支持体の前後の位置を調整し、そして、前記被取付板の前記取付孔に、前記取付ボルトを挿入し、その取付ボルトを前記壁面にねじ込んで、前記支持体を前記壁面に本止めすることにより、前記支持体を、前記壁面に取り付ける。
【００１２】
２）その後、前記座席本体を前記支持体に載せる。
【００１３】
３）次いで、前記座席本体を前記支持体に固定する。
【００１４】
上記取付方法により、初めに、乗物用座席の内の座席本体を除く支持体のみが、仮止めボルトおよび仮止めナットによる前後位置の調整を含む仮止めと、取付ボルトによる本止めとにより、乗物の壁面に取り付けられる。その後、座席本体が支持体に載せられることで、座席本体は支持される。次いで、座席本体は、支持体によって支持されたまま、その支持体に固定される。
【００１５】
【発明の実施の形態】
以下、この発明に係る乗物用座席および、乗物用座席の取付方法の実施の形態を図面に基づいて説明する。
【００１６】
図１ないし図８は、本発明に係る乗物用座席および、乗物用座席の取付方法を一人掛け用の座席に適用した一実施の形態を示す。図１および図２において、符号１は、バス、鉄道車両、船舶、航空機等の乗物である。２は、乗物１の床面、３は、乗物１内の壁面である。乗物用座席４は、片持ちタイプの座席であり、乗物１内の壁面３に沿って配備され、座席本体５と、乗物１の壁面３側となる壁面３に取り付けられて座席本体５が載るようにしてその座席本体５を支持する支持体６とからなっている。
【００１７】
座席本体５は、図４および図５に示すように、座当て５ａ、背当て５ｂ、並びにそれら座当て５ａおよび背当て５ｂを支える本体フレーム５ｃを有している。ここで、座当て５ａおよび背当て５ｂは、クッション材からなり、本体フレーム５ｃに着脱可能に取り付けられる。本体フレーム５ｃは、主に、鋼管等の中空材で形成されており、この座席本体５の両側に配置されて、くの字状に折れ曲がって延びる第１の中空部材５ｄ、５ｄ、それら第１の中空部材５ｄ、５ｄの折れ曲がって延びる一方側に渡される第２の中空部材５ｅ、５ｅ、それら第１の中空部材５ｄ、５ｄの折れ曲がって延びる他方側に渡される第３の中空部材５ｆを備えている。そして、第１の中空部材５ｄ、５ｄと、第２の中空部材５ｅ、５ｅおよび第３の中空部材５ｆのそれぞれとは、溶接等により固着されている。こうして、第１の中空部材５ｄ、５ｄの折れ曲がって延びる一方側と、第２の中空部材５ｅ、５ｅとが、ほぼ水平面を形成して、座当て５ａを支える座当て支え部５ｇとなり、そして、第１の中空部材５ｄ、５ｄの折れ曲がって延びる他方側と、第３の中空部材５ｆとが、鉛直面から若干倒れた面を形成して、背当て５ｂを支える背当て支え部５ｈとなっている。
【００１８】
また、第１の中空部材５ｄの折れ曲がった部分の内側には、略三角形状の補強板５ｉが、溶接等により固着されている。そして、第１の中空部材５ｄ、５ｄと第２の中空部材５ｅ、５ｅで形成される方形形状の枠の内側四隅には、略正方形形状の被固定板５ｊ、５ｊが、その下面が第１の中空部材５ｄ、５ｄおよび第２の中空部材５ｅ、５ｅの下端を含む面と同一面となるようにして、溶接等により固着されている。この被固定板５ｊには、後述する第１のネジ部材としての雄ネジ部材７に嵌まるように、上下に貫通する貫通孔５ｋが形成されている。
【００１９】
そして、肘掛け５ｍが、壁面３側とは反対側にある第１の中空部材５ｄの折れ曲がって延びる一方側と他方側とに渡されるようにして取り付けられている。
【００２０】
一方、支持体６は、図６ないし図８に示すように、壁面３に取り付けられる被取付板６ａの他は、主に、鋼管等の中空材で形成されており、被取付板６ａから水平に延びてほぼ前後に並ぶ第４の中空部材６ｂ、６ｂ、それら第４の中空部材６ｂ、６ｂの中間部分に渡される第５の中空部材６ｃ、第５の中空部材６ｃから下方側に傾斜して延びて被取付板６ａに達する第６の中空部材６ｄ、６ｄを備えている。そして、被取付板６ａと第４の中空部材６ｂ、６ｂ、第４の中空部材６ｂ、６ｂと第５の中空部材６ｃ、第５の中空部材６ｃと第６の中空部材６ｄ、６ｄ、第６の中空部材６ｄ、６ｄと被取付板６ａは、それぞれ溶接等により固着されている。
【００２１】
また、被取付板６ａには、壁面３と反対側に凸状に折れ曲がって前後に延びる被ガイド部６ｅが形成されている。さらに、被取付板６ａには、被ガイド部６ｅに、この支持体６を壁面３に仮止めするための仮止め孔６ｆ、６ｆが形成されている。そして、被取付板６ａには、その被ガイド部６ｅとで縦断面三角形状を形成するように折れ曲がった補強板６ｇが、溶接等により固着されている。そして、この補強板６ｇの頂部には、第４の中空部材６ｂ、６ｂがちょうど挿通される孔６ｈ、６ｈが形成されており、補強板６ｇと第４の中空部材６ｂ、６ｂとは、これら孔６ｈ、６ｈの回りで、溶接等により固着されている。また、補強板６ｇは、被取付板６ａの仮止め孔６ｆ、６ｆと対向する部分が、大きく切り欠かれて、切欠き部６ｉ、６ｉとなっている。そして、被取付板６ａや補強板６ｇを貫通するようにして、四隅部分に、この支持体６を壁面３に取り付けるための取付孔６ｊ、６ｊが形成されている。
【００２２】
また、第４の中空部材６ｂ、６ｂには、その基端側に平板状の第１の固定板６ｋが、そして、先端側に断面逆Ｌ字状の第２の固定板６ｍが、渡されるようにして、溶接等により固着されている。このとき、第１の固定板６ｋの下面および第２の固定板６ｍの上片の下面は、第４の中空部材６ｂ、６ｂの上端を含む面と同一面となって、第１の固定板６ｋの上面および第２の固定板６ｍの上片の上面は、同一面上に位置している。そして、これら第１の固定板６ｋおよび、第２の固定板６ｍの上片には、それらの両端部分に、前述の座席本体５の被固定板５ｊ、５ｊに形成された貫通孔５ｋ、５ｋと対向する位置に、雄ネジ部材７、７が、溶接等により固着されている。
【００２３】
座席本体５および支持体６は、上述のように構成されており、図１ないし図３に示すように、座席本体５は、その被固定板５ｊ、５ｊが、支持体６の固定板６ｋ、６ｍに重ねられるようにして、支持体６に載せられるとともに、被固定板５ｊの貫通孔５ｋ、５ｋが、固定板６ｋ、６ｍに固着された雄ネジ部材７、７に嵌まっている。さらに、本体フレーム５ｃの上側から、第２のネジ部材としての雌ネジ部材８、８が、雄ネジ部材７、７にねじ込まれて、本体フレーム５ｃを支持体６に締付固定している。こうして、雄ネジ部材７、７および雌ネジ部材８、８は、座席本体５を支持体６に着脱可能に固定する固定手段となっている。また、このとき、雌ネジ部材８、８は、上面側が座当て５ａによって覆われる。
【００２４】
次に、この乗物用座席４の取付方法を説明する。まず、乗物用座席４の内の座席本体５を除く支持体６のみを、乗物１の壁面３に取り付ける。この取り付けにあたっては、初めに、支持体６の被取付板６ａを、壁面３に当てるようにして、その壁面３に設けられて前後に延びるガイドレール３ａに挿通された仮止めボルト９に、被取付板６ａの仮止め孔６ｆを嵌める。そして、仮止めボルト９に仮止めナット１０をねじ込んで仮止めするとともに、支持体６の前後の位置を調整する。そして、被取付板６ａや補強板６ｇの取付孔６ｊに取付ボルト１１を挿入して、その取付ボルト１１を壁面３にねじ込むことで、この支持体６を壁面３に本止めする。ここで、支持体６の前後の位置調整は、このように支持体６単体の状態で行ってもよいが、後述する座席本体５を支持体６に固定した後に行ってもよい。
【００２５】
その後、座席本体５から座当て５ａを取り外し、本体フレーム５ｃの貫通孔５ｋが、支持体６に固着された雄ネジ部材７に嵌まるようにして、この座当て５ａが取り外された座席本体５を支持体６に載せる。
【００２６】
次いで、雌ネジ部材８を、本体フレーム５ｃの上側から、支持体６に固着された雄ネジ部材７にねじ込み、本体フレーム５ｃを支持体６に締付固定することで、この座当て５ａが取り外された座席本体５を支持体６に固定する。そして、座当て５ａを本体フレーム５ｃに取り付ける。
【００２７】
次に、以上の構成からなる乗物用座席４および、乗物用座席４の取付方法の作用効果について説明する。この乗物用座席４は、座席本体５と、その座席本体５を支持する支持体６とからなっており、この乗物用座席４を、乗物１の壁面３に取り付けるにあたって、座席本体５を、予め壁面３に取り付けられた支持体６に載せることで、この座席本体５は支持される。従って、雄ネジ部材７、７および雌ネジ部材８、８により、座席本体５を支持体６に固定するときには、座席本体５は、支持体６によって支持されており、その結果、作業者が座席本体５を支持する必要がなく、座席４の取付作業を容易に行うことができる。
【００２８】
また、雌ネジ部材８を雄ネジ部材７にねじ込む作業は、本体フレーム５ｃの上側から行われるので、そのねじ込み作業を容易に行うことができる。
【００２９】
また、座席本体５を支持体６に載せる際には、座当て５ａが取り外された座席本体５は、本体フレーム５ｃの貫通孔５ｋが支持体６に設けられた雄ネジ部材７に嵌まるように載せられる。従って、本体フレーム５ｃは、貫通孔５ｋおよびその貫通孔５ｋが嵌まる雄ネジ部材７を介して位置決めされており、座席４の取付作業を一層容易に行うことができる。
【００３０】
また、壁面３への座席４の取り付けは、仮止めボルト９および仮止めナット１０による前後位置の調整を含む仮止めと、取付ボルト１１による本止めとに分けて行われるので、その取付作業をさらに一層容易に行うことができる。
【００３１】
また、固定手段となる雄ネジ部材７および雌ネジ部材８は、座席本体５を支持体６に着脱可能に固定するものであり、雌ネジ部材８を雄ネジ部材７から緩めて外せば、乗物１の壁面３に取り付けられた支持体６から座席本体５を取り外すこともできる。このように、乗物１から座席本体５のみを取り外すこともでき、座席本体５や支持体６のメンテナンスも容易に行うことができる。
【００３２】
また、雌ネジ部材８は、上面側が座当て５ａによって覆われるので、その雌ネジ部８を覆う部材を特別に設ける必要がない。
【００３３】
なお、本発明は、上述した実施の形態に限定されるわけではなく、その他種々の変更が可能である。例えば、上記実施の形態においては、本発明を、一人掛け用の乗物用座席４に適用したが、二人掛け用等の複数人掛け用の乗物用座席に適用してもよい。また、このように、乗物用座席を複数人掛け用とした場合には、一つの支持体に、一人掛け用の座席本体５を複数横に並べるようにして載せてもよく、また、一体となった複数人掛け用の座席本体を載せてもよい。
【００３４】
【００３５】
また、支持体６に設けられる第１のネジ部材と、その第１のネジ部材にねじ込まれる第２のネジ部材は、それぞれ雄ネジ部材７と雌ネジ部材８からならなくとも、逆に、第１のネジ部材が雌ネジ部材、第２のネジ部材が雄ネジ部材となってもよい。
【００３６】
また、座席本体５を支持体６に着脱可能に固定する固定手段は、雄ネジ部材７と雌ネジ部材８とからならなくとも、例えば、座席本体５を支持体６に載せると同時に、またはレバー等を操作することにより、被掛止部と掛止部とが掛かり合う等して、座席本体５が支持体６に固定されるものであってもよい。
【００３７】
【発明の効果】
以上、詳述したところから明らかなように、この発明に係る乗物用座席および、乗物用座席の取付方法によれば、次の効果がある。
【００３８】
請求項１および２に記載された乗物用座席によれば、座席本体を、乗物の壁面に取り付けられた支持体に載せることで、座席本体は支持される。従って、固定手段により、座席本体を支持体に固定するときに、作業者が座席本体を支持する必要がなく、座席の取付作業を容易に行うことができる。また、壁面への座席の取り付けは、前後位置の調整を含む仮止めと、本止めとに分けて行われるので、その取付作業を一層容易に行うことができる。
【００３９】
また、請求項３に記載された乗物用座席によれば、第２のネジ部材を第１のネジ部材にねじ込む作業は、本体フレームの上側から行われるので、そのねじ込み作業を容易に行うことができる。
【００４０】
また、請求項４に記載された乗物用座席によれば、第２のネジ部材は、上面側が座当てによって覆われるので、その第２のネジ部を覆う部材を特別に設ける必要がない。
【００４１】
【００４２】
また、請求項５に記載された乗物用座席の取付方法によれば、座席本体を、乗物の壁面に取り付けられた支持体に載せることで、座席本体は支持される。従って、座席本体を支持体に固定するときに、作業者が座席本体を支持する必要がなく、座席の取付作業を容易に行うことができる。また、壁面への座席の取り付けは、仮止めボルトおよび仮止めナットによる前後位置の調整を含む仮止めと、取付ボルトによる本止めとに分けて行われるので、その取付作業を一層容易に行うことができる。
【図面の簡単な説明】
【図１】  この発明に係る乗物用座席の一実施の形態の、正面図である。
【図２】  同じく、側面図である。
【図３】  同じく、図１におけるＡ部詳細拡大図である。
【図４】  同じく、座席本体の右側面図である。
【図５】  同じく、図４におけるＢ矢視図である。
【図６】  同じく、支持体の正面図である。
【図７】  同じく、支持体の平面図である。
【図８】  同じく、支持体の右側面図である。
【図９】従来の乗物用座席を示す正面図である。
【符号の説明】
１  乗物                            ３  壁面
４  乗物用座席                      ５  座席本体
５ａ  座当て                        ５ｂ  背当て
５ｃ  本体フレーム                  ５ｋ  貫通孔
６  支持体                          ７  雄ネジ部材（第１のネジ部材）
８  雌ネジ部材（第２のネジ部材）
３ａ  ガイドレール ６ａ  被取付板
６ｅ  被ガイド部 ６ｆ  仮止め孔
６ｊ  取付孔 ９    仮止めボルト
１０  仮止めナット １１  取付ボルト
【図１】
0003740305.tif 000002
【図２】
0003740305.tif 000003
【図３】
0003740305.tif 000004
【図４】
0003740305.tif 000005
【図５】
0003740305.tif 000006
【図６】
0003740305.tif 000007
【図７】
0003740305.tif 000008
【図８】
0003740305.tif 000009
【図９】
0003740305.tif 000010